【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
（ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含むカバー、マントル、中間層、コアおよび中心よりなる群から選択される少なくとも１つの構成要素を有することを特徴とするゴルフボール。
【請求項２】
前記有機繊維が連続繊維、非連続繊維、パルプまたはフィブリドを含むことを特徴とする請求項１に記載のゴルフボール。
【請求項３】
前記有機繊維が脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール樹脂、ポリベンズイミダゾール、ポリフェニレントリアゾール、ポリフェニレンスルフィド、ポリオキサジアゾール、ポリイミド、芳香族ポリアミド、またはそれらの混合物から製造されることを特徴とする請求項２に記載のゴルフボール。
【請求項４】
前記組成物が、成分（ｉｉ）と成分（ｉｉｉ）との総合重量％が約５重量％〜約７０重量％であるように、
（ｉ）少なくとも１つのＥ／Ｘ／Ｙコポリマーであって、Ｅがエチレンから誘導され、ＸがＣ３〜Ｃ８α，βエチレン性不飽和カルボン酸から誘導され、およびＹがアルキル基が１〜８個の炭素原子を有するアクリル酸アルキルおよびメタクリル酸アルキルから選択される軟化コモノマーから誘導され、ＸがＥ／Ｘ／Ｙコポリマーの約２〜約３０重量％であり、そしてＹがＥ／Ｘ／Ｙコポリマーの０〜約４０重量％であるコポリマーと、
（ｉｉ）有機繊維から製造された約０．０５重量％〜約１０重量％のミクロパルプと、
（ｉｉｉ）約５重量％〜約６６重量％の１つまたは複数の有機酸またはその塩と
を含み、ここで、ブレンド中の全成分の全カルボン酸官能基が、１つまたは複数のアルカリ金属、遷移金属、またはアルカリ土類カチオンで少なくとも部分的に中和されていることを特徴とする請求項１に記載のゴルフボール。
【請求項５】
前記有機繊維が脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール樹脂、ポリベンズイミダゾール、ポリフェニレントリアゾール、ポリフェニレンスルフィド、ポリオキサジアゾール、ポリイミド、芳香族ポリアミド、またはそれらの混合物から製造されることを特徴とする請求項４に記載のゴルフボール。
【請求項６】
前記組成物が非アイオノマーの熱可塑性ポリマーから選択される少なくとも１つの追加ポリマーをさらに含むことを特徴とする請求項４に記載のゴルフボール。
【請求項７】
（ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含むことを特徴とするワン−ピース・ゴルフボール。
【請求項８】
前記組成物が成分（ｉｉ）と成分（ｉｉｉ）との総合重量％が約５重量％〜約７０重量％であるように、
（ｉ）少なくとも１つのＥ／Ｘ／Ｙコポリマーであって、Ｅがエチレンから誘導され、ＸがＣ３〜Ｃ８α，βエチレン性不飽和カルボン酸から誘導され、およびＹがアルキル基が１〜８個の炭素原子を有するアクリル酸アルキルおよびメタクリル酸アルキルから選択される軟化コモノマーから誘導され、ＸがＥ／Ｘ／Ｙコポリマーの約２〜約３０重量％であり、そしてＹがＥ／Ｘ／Ｙコポリマーの０〜約４０重量％であるコポリマーと、
（ｉｉ）有機繊維から製造された約０．０５重量％〜約１０重量％のミクロパルプと、
（ｉｉｉ）約５重量％〜約６６重量％の１つまたは複数の有機酸またはその塩とを含み、ここで、ブレンド中の全成分の全カルボン酸官能基が、１つまたは複数のアルカリ金属、遷移金属、またはアルカリ土類カチオンで少なくとも部分的に中和されていることを特徴とする請求項７に記載のワン−ピース・ゴルフボール。
【請求項９】
前記有機繊維が脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール樹脂、ポリベンズイミダゾール、ポリフェニレントリアゾール、ポリフェニレンスルフィド、ポリオキサジアゾール、ポリイミド、芳香族ポリアミド、またはそれらの混合物から製造されることを特徴とする請求項８に記載のワン−ピース・ゴルフボール。
【請求項１０】
ゴルフボール・コアを得る工程および
（ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含むカバーを前記コアを覆って形成する工程
を含むことを特徴とする請求項１に記載のゴルフボールの製造方法。
【請求項１１】
マントル、中間層、コアおよび中心よりなる群から選択される少なくとも１つの構成要素が
（ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含む回転楕円体を製造する工程、および前記回転楕円体を覆ってカバーを形成する工程を含むことを特徴とする請求項１に記載のゴルフボールの製造方法。
【請求項１２】
（ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物をゴルフボールの形状へ成形する工程を含むことを特徴とする請求項７に記載のゴルフボールの製造方法。
【請求項１３】
（ａ）熱可塑性エラストマー、カルボン酸−ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含むことを特徴とするヒールカウンター、先心、および中底よりなる群から選択される履物構造要素。
【手続補正２】
【補正対象書類名】明細書
【補正対象項目名】０１５４
【補正方法】変更
【補正の内容】
【０１５４】
本発明で有用なミクロパルプ改質アイオノマーは、未改質アイオノマー比較例のそれよりも改善された靱性および耐擦り傷性を実証した。
以下に、本発明の好ましい態様を示す。
［１］  （ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含むカバー、マントル、中間層、コアおよび中心よりなる群から選択される少なくとも１つの構成要素を有することを特徴とするゴルフボール。
［２］  前記有機繊維が連続繊維、非連続繊維、パルプまたはフィブリドを含むことを特徴とする［１］に記載のゴルフボール。
［３］  前記有機繊維が脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール樹脂、ポリベンズイミダゾール、ポリフェニレントリアゾール、ポリフェニレンスルフィド、ポリオキサジアゾール、ポリイミド、芳香族ポリアミド、またはそれらの混合物から製造されることを特徴とする［２］に記載のゴルフボール。
［４］  前記芳香族ポリアミドがポリ（ｐ−フェニレンテレフタルアミド）、ポリ（ｍ−フェニレンイソフタルアミド）、またはそれらの混合物であることを特徴とする［３］に記載のゴルフボール。
［５］  前記芳香族ポリアミドがポリ（ｐ−フェニレンテレフタルアミド）であることを特徴とする［４］に記載のゴルフボール。
［６］  前記組成物が、成分（ｉｉ）と成分（ｉｉｉ）との総合重量％が約５重量％〜約７０重量％であるように、
（ｉ）少なくとも１つのＥ／Ｘ／Ｙコポリマーであって、Ｅがエチレンから誘導され、ＸがＣ３〜Ｃ８のα，βエチレン性不飽和カルボン酸から誘導され、およびＹがアルキル基が１〜８個の炭素原子を有するアクリル酸アルキルおよびメタクリル酸アルキルから選択される軟化コモノマーから誘導され、ＸがＥ／Ｘ／Ｙコポリマーの約２〜約３０重量％であり、そしてＹがＥ／Ｘ／Ｙコポリマーの０〜約４０重量％であるコポリマーと、
（ｉｉ）有機繊維から製造された約０．０５重量％〜約１０重量％のミクロパルプと、
（ｉｉｉ）約５重量％〜約６６重量％の１つまたは複数の有機酸またはその塩と
を含み、ここで、ブレンド中の全成分の全カルボン酸官能基は、１つまたは複数のアルカリ金属、遷移金属、またはアルカリ土類カチオンで少なくとも部分的に中和されていることを特徴とする［１］に記載のゴルフボール。
［７］  前記有機繊維が脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール樹脂、ポリベンズイミダゾール、ポリフェニレントリアゾール、ポリフェニレンスルフィド、ポリオキサジアゾール、ポリイミド、芳香族ポリアミド、またはそれらの混合物から製造されることを特徴とする［６］に記載のゴルフボール。
［８］  前記芳香族ポリアミドがポリ（ｐ−フェニレンテレフタルアミド）であることを特徴とする［７］に記載のゴルフボール。
［９］  前記組成物が非アイオノマーの熱可塑性ポリマーから選択される少なくとも１つの追加ポリマーをさらに含むことを特徴とする［６］に記載のゴルフボール。
［１０］  前記組成物がコポリエーテルエステルまたはコポリエーテルアミドから選択される熱可塑性エラストマーを含むことを特徴とする［１］に記載のゴルフボール。
［１１］  前記組成物がコポリエーテルエステルから選択される熱可塑性エラストマーを含むことを特徴とする［１０］に記載のゴルフボール。
［１２］  前記コポリエーテルエステル中でポリエーテル・セグメントがテトラヒドロフランの重合によって得られ、そしてポリエステル・セグメントがテトラメチレングリコールとフタル酸との重合によって得られることを特徴とする［１１］に記載のゴルフボール。
［１３］  前記熱可塑性エラストマー、ポリウレタン−ウレア、熱可塑性ポリウレタンおよび熱硬化性ポリウレタンが、その中のポリエーテル・セグメントが１，３−プロパンジオールの重合によって得られるものであることを特徴とする［１］に記載のゴルフボール。
［１４］  前記組成物が熱可塑性ポリウレタンまたは熱硬化性ポリウレタンを含むことを特徴とする［１］に記載のゴルフボール。
［１５］  ゴルファー管理当局によって設定された制限値に適合するレベルにゴルフボールの質量を調節するために十分なフィラーをゴルフボールの１つまたは複数の構成要素に添加することを特徴とする［１］に記載のゴルフボール。
［１６］  （ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
から本質的に構成される組成物を含むカバー、マントル、中間層、コアおよび中心よりなる群から選択される少なくとも１つの構成要素を有することを特徴とするゴルフボール。
［１７］  前記有機繊維が連続繊維、非連続繊維、パルプまたはフィブリドを含むことを特徴とする［１６］に記載のゴルフボール。
［１８］  前記有機繊維が脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール樹脂、ポリベンズイミダゾール、ポリフェニレントリアゾール、ポリフェニレンスルフィド、ポリオキサジアゾール、ポリイミド、芳香族ポリアミド、またはそれらの混合物から製造されることを特徴とする［１７］に記載のゴルフボール。
［１９］  前記芳香族ポリアミドがポリ（ｐ−フェニレンテレフタルアミド）、ポリ（ｍ−フェニレンイソフタルアミド）、またはそれらの混合物であることを特徴とする［１８］に記載のゴルフボール。
［２０］  前記芳香族ポリアミドがポリ（ｐ−フェニレンテレフタルアミド）であることを特徴とする［１９］に記載のゴルフボール。
［２１］  前記組成物が、成分（ｉｉ）と成分（ｉｉｉ）との総合重量％が約５重量％〜約７０重量％であるように、
（ｉ）少なくとも１つのＥ／Ｘ／Ｙコポリマーであって、Ｅがエチレンから誘導され、ＸがＣ３〜Ｃ８のα，βエチレン性不飽和カルボン酸から誘導され、およびＹがアルキル基が１〜８個の炭素原子を有するアクリル酸アルキルおよびメタクリル酸アルキルから選択される軟化コモノマーから誘導され、ＸがＥ／Ｘ／Ｙコポリマーの約２〜約３０重量％であり、そしてＹがＥ／Ｘ／Ｙコポリマーの０〜約４０重量％であるコポリマーと、
（ｉｉ）有機繊維から製造された約０．０５重量％〜約１０重量％のミクロパルプと、
（ｉｉｉ）約５重量％〜約６６重量％の１つまたは複数の有機酸またはその塩と
から本質的に構成され、ここで、ブレンド中の全成分の全カルボン酸官能基は、１つまたは複数のアルカリ金属、遷移金属、またはアルカリ土類カチオンで少なくとも部分的に中和されていることを特徴とする［１６］に記載のゴルフボール。
［２２］  前記有機繊維が脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール樹脂、ポリベンズイミダゾール、ポリフェニレントリアゾール、ポリフェニレンスルフィド、ポリオキサジアゾール、ポリイミド、芳香族ポリアミド、またはそれらの混合物から製造されることを特徴とする［２１］に記載のゴルフボール。
［２３］  前記芳香族ポリアミドがポリ（ｐ−フェニレンテレフタルアミド）であることを特徴とする［２２］に記載のゴルフボール。
［２４］  （ａ）熱可塑性エラストマー、カルボン酸ベース熱可塑性のアイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含むことを特徴とするワンピース・ゴルフボール。
［２５］  前記組成物が、成分（ｉｉ）と成分（ｉｉｉ）との総合重量％が約５重量％〜約７０重量％であるように、
（ｉ）少なくとも１つのＥ／Ｘ／Ｙコポリマーであって、Ｅがエチレンから誘導され、ＸがＣ３〜Ｃ８のα，βエチレン性不飽和カルボン酸から誘導され、およびＹがアルキル基が１〜８個の炭素原子を有するアクリル酸アルキルおよびメタクリル酸アルキルから選択される軟化コモノマーから誘導され、ＸがＥ／Ｘ／Ｙコポリマーの約２〜約３０重量％であり、そしてＹがＥ／Ｘ／Ｙコポリマーの０〜約４０重量％であるコポリマーと、
（ｉｉ）有機繊維から製造された約０．０５重量％〜約１０重量％のミクロパルプと、
（ｉｉｉ）約５重量％〜約６６重量％の１つまたは複数の有機酸またはその塩と
を含み、ここで、ブレンド中の全成分の全カルボン酸官能基は、１つまたは複数のアルカリ金属、遷移金属、またはアルカリ土類カチオンで少なくとも部分的に中和されていることを特徴とする［２４］に記載のゴルフボール。
［２６］  前記有機繊維が脂肪族ポリアミド、ポリエステル、ポリアクリロニトリル、ポリビニルアルコール、ポリオレフィン、ポリ塩化ビニル、ポリ塩化ビニリデン、ポリウレタン、ポリフルオロカーボン、フェノール樹脂、ポリベンズイミダゾール、ポリフェニレントリアゾール、ポリフェニレンスルフィド、ポリオキサジアゾール、ポリイミド、芳香族ポリアミド、またはそれらの混合物から製造されることを特徴とする［２５］に記載のゴルフボール。
［２７］  前記芳香族ポリアミドがポリ（ｐ−フェニレンテレフタルアミド）であることを特徴とする［２６］に記載のゴルフボール。
［２８］  ゴルフボール・コアを得る工程および
（ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含むカバーを前記コアを覆って形成する工程
を含むことを特徴とする［１］に記載のゴルフボールの製造方法。
［２９］  マントル、中間層、コアおよび中心よりなる群から選択される少なくとも１つの構成要素が
（ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含む回転楕円体を製造する工程、および前記回転楕円体を覆ってカバーを形成する工程を含むことを特徴とする［１］に記載のゴルフボールの製造方法。
［３０］  （ａ）熱可塑性エラストマー、カルボン酸ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物をゴルフボールの形状へ成形する工程を含むことを特徴とする［２４］に記載のゴルフボールの製造方法。
［３１］  （ａ）熱可塑性エラストマー、カルボン酸−ベースの熱可塑性アイオノマー、ポリウレタン−ウレア、熱可塑性ポリウレタンおよび熱硬化性ポリウレタンよりなる群から選択される少なくとも１つのポリマーと、
（ｂ）有機繊維から製造されたミクロパルプと
を含む組成物を含むことを特徴とするヒールカウンター、先心、および中底よりなる群から選択される履物構造要素。